(57)【特許請求の範囲】
【請求項１】
加圧した洗浄水によって洗浄される水洗大便器であって、
ボウル部と、洗浄水を吐出するリム吐水口及びジェット吐水口と、排水トラップ管路とを備えた便器本体と、
洗浄水を貯水する貯水タンクと、
この貯水タンクの水位を検出する水位検出手段と、
洗浄水を上記リム吐水口及び上記貯水タンクに供給する洗浄水供給手段と、
上記貯水タンクの洗浄水を加圧してジェット側給水路を経て上記ジェット吐水口に供給する加圧ポンプと、
使用者がＯＮ操作して便器洗浄を開始する洗浄スイッチと、
この洗浄スイッチがＯＮ操作されると、上記水位検出手段の出力に基づいて、上記洗浄水供給手段及び／又は上記加圧ポンプを制御して便器洗浄を行う通常時洗浄手段と、
上記水位検出手段の出力値により水位検出手段自体及び／又は上記貯水タンクの異常を検知する異常検知手段と、
この異常検知手段が異常を検知したとき、使用者が洗浄スイッチをＯＮ操作しても上記通常時洗浄手段による便器洗浄を禁止する洗浄禁止手段と、
この洗浄禁止手段により通常時洗浄手段による便器洗浄が禁止されたとき、タイマー制御により上記洗浄水供給手段及び／又は上記加圧ポンプを制御して便器洗浄を行う異常時洗浄手段と、
を有することを特徴とする水洗大便器。
【請求項２】
上記異常時洗浄手段は、所定の特殊操作により洗浄禁止手段による便器洗浄の禁止を解除して、タイマー制御により上記洗浄水供給手段及び／又は上記加圧ポンプを制御して便器洗浄を行う請求項１記載の水洗大便器。
【請求項３】
上記異常時洗浄手段は、上記異常検知手段が異常を検知した後に使用者が洗浄スイッチをＯＮ操作したとき、タイマー制御により、洗浄水供給手段により貯水タンクに洗浄水を供給し、上記洗浄水供給手段によりリム吐水口に洗浄水を供給すると共に加圧ポンプが貯水タンクの洗浄水を加圧してジェット吐水口へ供給し、さらに、便器洗浄終了後に貯水タンクへの給水を規制する請求項１記載の水洗大便器。
【請求項４】
更に、上記異常検知手段が異常を検知した後、使用者が洗浄スイッチをＯＮ操作したとき、少なくとも音により異常を使用者に報知する異常報知手段を有する請求項１乃至３の何れか１項記載の水洗大便器。
【請求項５】
上記洗浄スイッチは、上記便器本体及びリモコン部にそれぞれ設けられ、上記異常検知手段が異常を検知した後、リモコン部に設けられた洗浄スイッチの作動が禁止されると共に便器本体に設けられた洗浄スイッチの作動が許容される請求項１乃至４の何れか１項記載の水洗大便器。
【発明の詳細な説明】
【技術分野】
【０００１】
本発明は、水洗大便器に係り、特に、貯水タンク内の洗浄水を加圧して便器を洗浄する水洗大便器に関する。
【背景技術】
【０００２】
従来から、特許文献１に記載されているように、リム通水部とゼット孔（ジェット吐水口）が形成されたボウル部を備え、このリム通水部には洗浄水を水道から直接供給し、一方、ゼット孔には貯水タンク内に貯溜されポンプにより加圧された洗浄水を供給するようにした水洗大便器が知られている。
この特許文献１の水洗大便器は、貯水タンク内に貯溜された洗浄水をポンプにより加圧してゼット孔から吐出するようにしているので、低水圧の地域や場所でも使用できる利点がある。
【０００３】
【特許文献１】特開２００５−２６４４６９号公報
【発明の開示】
【発明が解決しようとする課題】
【０００４】
しかしながら、上述した特許文献１に記載された水洗大便器においては、貯水タンクを使用し、この貯水タンク内の洗浄水の水位を検出するためのフロートスイッチが設けられているので、このフロートスイッチから異常な出力があった際には、この貯水タンクへの洗浄水供給を停止し、便器洗浄を禁止する必要がある。
このフロートスイッチから異常な出力が発生する原因として、貯水タンクからの洗浄水の漏洩や、フロースイッチ自体の故障が考えられるが、何れの場合も、便器洗浄を禁止する必要がある。
【０００５】
このような情況下で、本発明者らは、貯水タンクからの洗浄水の漏洩の程度によっては一定の条件下で便器洗浄が出来るほうが好ましいし、また、フロースイッチの故障時は貯水タンクが破損している訳でもないので、便器洗浄ができるほうが好ましいと考え、このような便器洗浄が可能となる水洗大便器の開発を鋭意行った。
【０００６】
そこで、本発明は、上述した要請を満たすためになされたものであり、貯水タンクからの洗浄水の漏洩時及び／又はフロートスイッチの故障時であっても便器洗浄を行うことができる水洗大便器を提供することを目的としている。
【課題を解決するための手段】
【０００７】
上述した目的を達成するために、本発明は、加圧した洗浄水によって洗浄される水洗大便器であって、ボウル部と、洗浄水を吐出するリム吐水口及びジェット吐水口と、排水トラップ管路とを備えた便器本体と、洗浄水を貯水する貯水タンクと、この貯水タンクの水位を検出する水位検出手段と、洗浄水をリム吐水口及び貯水タンクに供給する洗浄水供給手段と、貯水タンクの洗浄水を加圧してジェット側給水路を経てジェット吐水口に供給する加圧ポンプと、使用者がＯＮ操作して便器洗浄を開始する洗浄スイッチと、この洗浄スイッチがＯＮ操作されると、水位検出手段の出力に基づいて、洗浄水供給手段及び／又は加圧ポンプを制御して便器洗浄を行う通常時洗浄手段と、水位検出手段の出力値により水位検出手段自体及び／又は貯水タンクの異常を検知する異常検知手段と、この異常検知手段が異常を検知したとき、使用者が洗浄スイッチをＯＮ操作しても通常時洗浄手段による便器洗浄を禁止する洗浄禁止手段と、この洗浄禁止手段により通常時洗浄手段による便器洗浄が禁止されたとき、タイマー制御により洗浄水供給手段及び／又は加圧ポンプを制御して便器洗浄を行う異常時洗浄手段と、を有することを特徴としている。
【０００８】
このように構成された本発明においては、水位検出手段及び貯水タンクが正常の場合には、通常時洗浄手段により、水位検出手段の出力に基づいて、洗浄水供給手段及び／又は加圧ポンプを制御して、便器洗浄を行う。しかしながら、異常検知手段が水位検出手段自体及び／又は貯水タンクの異常を検知した場合には、先ず、洗浄禁止手段が使用者が洗浄スイッチをＯＮ操作しても通常時洗浄手段による便器洗浄を禁止するが、このとき、異常時洗浄手段は、タイマー制御により便器洗浄を行う。この結果、本発明においては、貯水タンクからの洗浄水の漏洩が小さい場合や水位検出手段が異常な場合等においても、便器洗浄を行うことができる。
【０００９】
本発明において、好ましくは、異常時洗浄手段は、所定の特殊操作により洗浄禁止手段による便器洗浄の禁止を解除して、タイマー制御により上記洗浄水供給手段及び／又は上記加圧ポンプを制御して便器洗浄を行う。
このように構成された本発明においては、異常検知手段がタイマー制御により便器洗浄を行う際に、所定の特殊操作により洗浄禁止手段による便器洗浄の禁止を解除するようにしているので、通常時洗浄から異常時洗浄への移行を使用者等が認識した上で行うことができる。
【００１０】
本発明において、好ましくは、異常時洗浄手段は、異常検知手段が異常を検知した後に使用者が洗浄スイッチをＯＮ操作したとき、タイマー制御により、洗浄水供給手段により貯水タンクに洗浄水を供給し、洗浄水供給手段によりリム吐水口に洗浄水を供給すると共に加圧ポンプが貯水タンクの洗浄水を加圧してジェット吐水口へ供給し、さらに、便器洗浄終了後に貯水タンクへの給水を規制する。
このように構成された本発明においては、便器洗浄終了後に貯水タンクへの給水を規制するようにしているので、貯水タンクの軽度の損傷時等において、貯水タンクからの漏水を確実に防止することができる。
【００１１】
本発明は、好ましくは、更に、異常検知手段が異常を検知した後、使用者が洗浄スイッチをＯＮ操作したとき、少なくとも音により異常を使用者に報知する異常報知手段を有する。
このように構成された本発明においては、使用者が水位検出手段及び／又は貯水タンクの異常を認識することができるので、適切な対応を取ることができ、また、便器洗浄を行う場合でも、情況を正確に理解しているので安心である。
【００１２】
本発明においては、好ましくは、洗浄スイッチは、便器本体及びリモコン部にそれぞれ設けられ、異常検知手段が異常を検知した後、リモコン部に設けられた洗浄スイッチの作動が禁止されると共に便器本体に設けられた洗浄スイッチの作動が許容される。
このように構成された本発明においては、通常使用するリモコン部に設けられた洗浄スイッチの作動が禁止されているので、使用者は、通常とは異なる使用であることを認識して便器を使用することができ、さらに、例えば洗浄水の漏洩等の不具合が発生していた場合には、その漏洩した洗浄水を拭き取る等の対応が可能となる。
【発明の効果】
【００１３】
本発明の水洗大便器によれば、貯水タンクからの洗浄水の漏洩時及び／又はフロートスイッチの故障時であっても便器洗浄を行うことができる。
【発明を実施するための最良の形態】
【００１４】
次に、添付図面を参照して、本発明の実施形態による水洗大便器を説明する。
先ず、図１乃至図３により、本発明の実施形態による水洗大便器の構造を説明する。ここで、図１は、本発明の実施形態による水洗大便器の側面図であり、図２は図１に示す水洗大便器の平面図であり、図３は本発明の実施形態による水洗大便器を示す全体構成図である。
【００１５】
図１及び図２に示すように、本発明の実施形態による水洗大便器１は、便器本体２と、この便器本体２の上面に配置された便座４と、便座４を覆うように配置されたカバー６と、便器本体２の後方上部に配置された局部洗浄装置８と、を備えている。さらに、便器本体２の後方には、機能部１０が配置されており、この機能部１０はサイドパネル１１により覆われている。
【００１６】
便器本体２には、汚物を受けるボウル部１２と、このボウル部１２の底部から延びる排水トラップ管路１４と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐出するようになっている。
リム吐水口１８は、ボウル部１２の左側上部後方に形成されており、ボウル部１２の上縁に沿って洗浄水を吐出するようになっている。
【００１７】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。
ここで、排水トラップ管路１４のトラップ下降管１４ｃの下端には、排水管１５が接続されている。
【００１８】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２によって加圧して、大流量でジェット吐水口１６から吐出させるようになっている。
【００１９】
次に、図３により、本実施形態による水洗大便器１の機能部１０を詳細に説明する。
図３に示すように、機能部１０には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。
【００２０】
これらの定流量弁３２、電磁開閉弁３４、及び、給水路切替弁３６は、後述するように、バルブユニット３７として、一体的に組立られたものとなっている。
また、給水路切替弁３６の下流側には、リム吐水口１８に洗浄水を供給するためのリム側給水路３８、及び、貯水タンク２０に洗浄水を供給するためのタンク側給水路４０が接続されている。
【００２１】
ここで、定流量弁３２は、止水栓２６、ストレーナ２８、分岐金具３０を介して流入した洗浄水を、所定の流量以下に絞るためのものである。また、定流量弁３２を通過した洗浄水は、電磁開閉弁３４に流入し、電磁開閉弁３４を通過した洗浄水は、給水路切替弁３６により、リム側であるリム側給水路３８からリム吐水口１８へ、又は、タンク側であるタンク側給水路４０から貯水タンク２０に供給されるようになっている。ここで、給水路切替弁３６は、リム側給水路３８とタンク側給水路４０の両方に同じタイミングで洗浄水を供給可能であって、リム側とタンク側への給水量の割合を任意に変更できる切替弁である。
【００２２】
また、貯水タンク２０の下部には、ポンプ側給水路４５が接続されており、このポンプ側給水路４５の下流端にはポンプ室２２ａを備えた加圧ポンプ２２が接続されている。さらに、加圧ポンプ２２とジェット吐水口１６はジェット側給水路４６により接続されており、加圧ポンプ２２が、貯水タンク２０に貯水された洗浄水を加圧してジェット吐水口１６まで供給するようになっている。
【００２３】
ジェット側給水路４６は、図３に示すように、上方に向けて凸型に形成されており、この凸型部分の頂部４６ａが最高位置となっている。
【００２４】
次に、上述したリム側給水路３８には、リム吐水用バキュームブレーカ４８が設けられており、給水路２４に負圧が発生した時に洗浄水のリム吐水口１８からの逆流を防止している。また、リム吐水用バキュームブレーカ４８は、図３に示すように、ボウル部１２の上端面よりも上方に配置され、これにより、逆流を確実に防止している。さらに、リム吐水用バキュームブレーカ４８の大気開放部から溢れた洗浄水は、戻り管路５０を通って貯水タンク２０に流入するようになっている。
【００２５】
タンク側給水路４０にも、逆止弁であるバキュームブレーカ４２が設けられており、洗浄水の貯水タンク２０からの逆流を防止している。
【００２６】
ここで、貯水タンク２０は、密閉タイプの貯水タンクであり、タンク側給水路４０と貯水タンク２０の接続部には、ボール式逆止弁４３が設けられている。このボール式逆止弁４３により、貯水タンク２０が後述するオーバーフロー流路７０の上端７０ａの位置を越えて満水状態になった場合でも、ボール４３ａが浮上して、タンク側給水路４０との接続部を閉鎖するので、洗浄水がタンク側給水路４０に逆流することがないようになっている。
【００２７】
同様に、戻り管路５０と貯水タンクの接続部にも、同様に、ボール式逆止弁４４が設けられており、貯水タンク２０が後述するオーバーフロー流路７０の上端７０ａの位置を越えて満水状態になった場合でも、洗浄水が戻り管路５０に逆流することはないようになっている。
【００２８】
さらに、ポンプ側給水路４５には、逆止弁であるジェット吐水用フラッパー弁５６及び水抜栓５８が設けられている。これらのジェット吐水用フラッパー弁５６及び水抜栓５８は、加圧ポンプ２２よりも下方の、貯水タンク２０の下端部付近の高さに配置されている。このため、水抜栓５８を開放することにより、メンテナンス時等に貯水タンク２０内及び加圧ポンプ２２内の洗浄水を排出することができるようになっている。また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け加圧ポンプ２２が空運転してしまうことを防止している。また、加圧ポンプ２２の下方には、水受けトレイ６０が配置されており、結露した水滴や漏水を受けるようになっている。
【００２９】
機能部１０には、電磁開閉弁３４の開閉操作、給水路切替弁３６の切替操作、及び、加圧ポンプ２２の回転数や作動時間等を制御するコントローラ６２が内蔵されている。
【００３０】
また、使用者が便器洗浄を開始する際、ＯＮ操作する洗浄スイッチ６３（６３ａ，６３ｂ）が設けられており、この洗浄スイッチ６３は、コントローラ６２に接続されている。この洗浄スイッチ６３は、便器本体に設けられた洗浄スイッチ６３ａ（カバー等により覆われているため主にメーカの作業員等の限られた人が操作可能となっている）とリモコン部に設けられた洗浄スイッチ６３ｂ（便器使用者が使用する）を備えている。
【００３１】
さらに、貯水タンク２０等に異常が発生した場合に、使用者が洗浄スイッチ６３をＯＮ操作したときに、その旨を報知するための異常報知装置６５が設けられている。この異常報知装置６５は、使用者に異常を報知するためその旨のアナウンスを行う音声や異常報知音（ブーブー）等を発生させる音声装置６５ａと、既設の複数のＬＥＤを自動点滅させるＬＤＥ点滅装置６５ｂを備えている。
【００３２】
貯水タンク２０の内部には、上端フロートスイッチ６４ａ、及び、下端フロートスイッチ６４ｂが配置されている。
上端フロートスイッチ６４ａは、貯水タンク２０内の水位が通常使用時の最高水位Ｌ１より少しだけ低い所定位置Ｌ２に達するとオンに切り替わり、コントローラ６２はこれを検知して、電磁開閉弁３４を閉鎖させる。
【００３３】
下端フロートスイッチ６４ｂは、貯水タンク２０内の水位が通常使用時の最低水位Ｌ４より少しだけ高い所定の水位Ｌ３まで低下するとオンに切り替わり、コントローラ６２はこれを検知して、加圧ポンプ２２を停止させる。
具体的には、上端フロートスイッチ６４ａは、洗浄水の水位がＬ１とＬ２の間にあるときはＯＮ（水あり）となり、水位がＬ２より低い場合にはＯＦＦ（水なし）となる。
また、下端フロートスイッチ６４ｂは、洗浄水の水位がＬ３より高い場合にはＯＦＦ（水あり）となり、水位がＬ３とＬ４の間にあるときはＯＮ（水なし）となる。
【００３４】
さらに、オーバーフロー流路７０が設けられ、このオーバーフロー流路７０の上端７０ａは貯水タンク２０内に開口し、その下端７０ｂは、ジェット側給水路４６に接続されている。
【００３５】
このオーバーフロー流路７０には逆止弁であるフラッパー弁７２が取り付けられている。このオーバーフロー流路７０及びフラッパー弁７２により、洗浄水のジェット吐水口１６からの逆流を防止すると共に、これらの間の縁切りを行うことができるようになっている。
【００３６】
コントローラ６２は、使用者による洗浄スイッチ６３（６３ｂ）のＯＮ操作により、電磁開閉弁３４、給水路切替弁３６、加圧ポンプ２２を順次作動させ、先ずリム吐水口１８から吐水し、リム吐水を継続させながら、次にジェット吐水口１６からの吐水を開始させて、ボウル部１２を洗浄する。さらに、コントローラ６２は、洗浄終了後、電磁開閉弁３４を開放し、給水路切替弁３６を貯水タンク２０側に切り替えて洗浄水を貯水タンク２０に補給する。貯水タンク２０内の水位が上昇し、上端フロートスイッチ６４ａが規定の貯水量を検出すると、コントローラ６２は、電磁開閉弁３４を閉鎖して給水を停止する。
【００３７】
次に、図４により、本実施形態による水洗大便器の洗浄動作を説明する。図４は、本発明の実施形態による水洗大便器の通常時洗浄モードにおける洗浄動作を示すタイムチャートである。
【００３８】
図４に示すように、先ず、待機状態（時刻ｔ０〜ｔ１）において、給水路切替弁３６は、リム側給水路３８とタンク側給水路４０の両方に連通する中立位置となっている。即ち、給水路切替弁３６はリム側５０％貯水タンク側５０％の状態となっている。
【００３９】
次に、この待機状態（時刻ｔ０〜ｔ１）で、洗浄スイッチ６３をＯＮ操作する（時刻ｔ１）と、即ち、洗浄開始の信号を受けると、前リム吐水（時刻ｔ１〜ｔ１１）が開始される。このとき（時刻ｔ１）、給水路切替弁３６は、リム側５０％貯水タンク側５０％の中立位置から、タンク側給水路４０に全開状態（タンク側１００％）の位置に切り替えられ、時刻ｔ２〜ｔ３の間、この状態が保持される。
【００４０】
次に、給水路切替弁３６がタンク側１００％になったとき、即ち、時刻ｔ２において、電磁開閉弁３４をＯＮとして、洗浄水を給水路２４に流入させる。これにより、給水切替弁３６の上流側にある給水路２４内に残留する圧縮空気を貯水タンク２０内に排出することができる。この結果、給水切替弁３６をいきなりリム側であるリム側給水路３８に切り替えた場合に生じるリム吐水口１８からの空気の異音（排出音）の発生や水はね等を防止することができる。
【００４１】
次に、時刻ｔ３〜ｔ４の間に、給水切替弁３６をタンク側全開位置（貯水タンク側１００％）からリム側全開位置（リム側１００％）に徐々に切り替え、洗浄水をリム吐水口１８へ少量づつ供給し、洗浄水をリム吐水口１８から吐水する。これにより、リム吐出口１８に大量の洗浄水が一気に供給されることなく、リム吐水口１８に徐々に洗浄水が供給されるので、給水路切替弁３６の下流側のリム側給水路３８内に残留する空気をリム吐水口１８からスムーズに排出することができ、それにより、残留空気が一気に排出されるときに生じる異音の発生や水はね等も防止することができる。
【００４２】
次に、時刻ｔ２から所定時間（例えば、５秒）経過後、時刻ｔ５〜ｔ１１の間において、ジェット吐水を行うために、加圧ポンプ２２をＯＮとし、加圧ポンプ２２が貯水タンク２０内の洗浄水をジェット吐水口１６へ供給し、洗浄水をジェット吐水口１６から吐水する。
【００４３】
このジェット吐水のとき、加圧ポンプ２２の回転数をコントローラ６２が以下のように制御する。
先ず、加圧ポンプ２２は、時刻ｔ６〜ｔ７において、比較的低速（例えば、１０００ｒｐｍ）に保持され、これにより、ジェット側給水路４６の頂部４６ａの近傍（即ち、ボウル部１２の溜水面より上方に位置する部分）に在留する空気をゆっくりとジェット吐水口１６から排出する。この結果、加圧ポンプ２２をいきなり本来の高速回転で始動した場合に生じるジェット吐水口１６からの空気の排出音の発生を防止することができる。
【００４４】
次に、時刻ｔ８〜ｔ９において、加圧ポンプ２２を高速回転（例えば、３５００ｒｍｐ）させる。これにより、加圧ポンプ２２による加圧力が大きくなり、ジェット吐水口１６から大流量の洗浄水が吐水される。このとき、リム吐水口１８から継続してリム吐水がなされているので、リム吐水口１８から吐水される洗浄水の流量が加わり、大流量の洗浄水が、排水トラップ管路１４の入口部１４ａに流入し、サイホン現象が急速に引き起こされ、ボウル部１２内の溜水及び汚物が素早く排出される。このとき、排水トラップ管路１４の入口部１４ａに流入する流量（第１の流量）は、リム吐水による流量とジェット吐水による流量の合計で、７５リットル／分〜１２０リットル／分であり、従来と比較して大流量となっている。
【００４５】
次に、時刻ｔ９〜ｔ１１において、排水トラップ管路１４の入口部１４ａに流入する洗浄水の流量（第２の流量）を、上記の流量（第１の流量）よりも少ない流量とするために、加圧ポンプ２２の回転数を少し低減させる。この図４の例では、第２の流量を排水トラップ管路１４の入口部１４ａに流入させるために、加圧ポンプ２２の回転数を２段階（例えば、３３００ｒｍｐと３２００ｒｐｍ）に減速させるようになっている。このとき、加圧ポンプ２２の回転数は、１段階で変化させなくてもよく、また、３段階以上に減速させるようにしてもよい。
【００４６】
このようにして、第１の流量により発生したサイホン現象が終了する直前（時刻ｔ９）に、排水トラップ管路１４の入口部１４ａに第１の流量よりも少ない第２の流量の洗浄水を流入させているので、汚物搬出可能な流速を生じさせかつ排水トラップ管路１４の何れかの部位の断面をシールしてサイホン作用を継続させることができる。
【００４７】
次に、時刻ｔ１１において、貯水タンク２０内の洗浄水の水位がＬ３よりも低下して、下端フロートスイッチ６４ｂがＯＮとなると、加圧ポンプ２２の作動を停止する。このとき、加圧ポンプ２２の回転数を、ジェット吐水口１６からの吐水が漸減するように、時刻ｔ１１から時刻ｔ１２までの間、ゆっくりと低減させる。これにより、サイホン作用が急激に途切れることにより生じるサイホン切れ音の発生を防止することができる。
【００４８】
時刻ｔ１１において、ジェット吐水は終了したが、このとき、リム吐水は依然として継続しており、時刻ｔ１１から時刻ｔ１３までの所定時間（例えば、４秒）、リム吐水（後リム吐水）だけ継続される。
この後、時刻ｔ１３〜ｔ１４において、給水路切替弁３６をリム側全開からタンク側全開に切り替える。これにより、貯水タンク２０内に洗浄水が貯水される。
【００４９】
次に、時刻ｔ１５において、貯水タンク２０内の水位がＬ２よりも上昇することにより、上端フロートスイッチ６４ａがＯＮとなり、これにより、電磁開閉弁３４がＯＦＦ（閉操作）となり、洗浄水の貯水タンク２０内への流入が停止される。
【００５０】
次に、時刻ｔ１６において、給水切替弁３６がリム側とタンク側の両方に連通する中立位置に戻り、待機状態（時刻ｔ０と同じ状態）に復帰する。
【００５１】
次に、図５により、フロートスイッチ及び貯水タンクの異常判定について説明する。図５は本実施形態による水洗大便器の異常判定を行う際のフロートスイッチの状態を示す説明図である。
【００５２】
図５において、状態１は、上端フロートスイッチ６４ａがＯＮ（水あり）で下端フロートスイッチ６４ｂがＯＦＦ（水あり）の状態、即ち、貯水タンク２０が満水状態を示している。状態２は、上端フロートスイッチ６４ａがＯＦＦ（水なし）で下端フロートスイッチ６４ｂがＯＦＦ（水あり）の状態、即ち、貯水タンク２０の適当な水位まで洗浄水が貯溜されている状態を示している。状態３は、上端フロートスイッチ６４ａがＯＦＦ（水なし）で下端フロートスイッチ６４ｂがＯＮ（水なし）の状態、即ち、貯水タンク２０が空の状態を示している。状態４は、上端フロートスイッチ６４ａがＯＮ（水あり）で下端フロートスイッチ６４ｂがＯＮ（水なし）の状態を示している。
【００５３】
先ず、状態４は、実現象として起こりえないので、このような状態４が一定時間（例えば９０秒）以上継続して発生した場合には、上端フロートスイッチ６４ａ及び／又は下端フロートスイッチ６４ｂ自体が故障（異常）であると判定する。このフロースイッチの故障の原因としては、部品故障や基板のシート等が考えられる。
【００５４】
次に、電磁開閉弁３４を閉操作した後、一度も加圧ポンプ２２を駆動していないにも係らず、状態１から状態３に移行する場合が２回累積して（又は２回連続して）発生したような場合には、貯水タンク２２の一部が破損していると考えられるので、この場合には貯水タンク２２が破損（異常）と判定する。
【００５５】
さらに、電磁開閉弁３４を閉操作した後、一度も加圧ポンプ２２を駆動していないにも係らず、状態２から状態３に移行する場合が２回累積して（２回連続して）発生したような場合にも、貯水タンク２２の一部が破損していると考えられるので、この場合にも貯水タンク２２が破損（異常）と判定する。
【００５６】
なお、貯水タンク２２が破損する主な原因として、貯水タンク内の洗浄水が凍結することにより貯水タンクが破損（ひび割れ）することが挙げられる。一方、貯水タンクが破損していないが、貯水タンクの水抜き作業後に水抜栓５８を締め忘れた、又は、締め方が不十分であった場合も、貯水タンクから水漏れが発生する異常状態である。しかし、水抜栓の締め忘れの場合は、その状態で貯水タンクに給水して水漏れが発生したことに気づいて水抜栓を正常に締め込めば、貯水タンクは正常に利用できる。そのため、上述したように、状態１から状態３への移行および状態２から状態３への移行を検知して貯水タンクの破損していると判断するのは２回累積して（又は２回連続して）発生した場合とすることにより、使用者の人為的ミスにも係わらず貯水タンクの破損であると判断してしまう可能性を低くしている。
【００５７】
このようなフロートスイッチ自体及び貯水タンクの異常が判定された場合には、本実施形態による水洗大便器においては、使用者が洗浄スイッチ６３をＯＮ操作したとき、異常報知装置６５が作動し、使用者に、音や光を用いて、その旨を報知するようになっている。具合的には、音声装置６５ａにより、ブザー音（ブーブー）を発生させたり、音声による、便器に水漏れが発生した旨のアナウンス等を行い、及び／又は、ＬＥＤ点滅装置６５ｂにより、局部洗浄装置８等に使用されている複数のＬＥＤの全部を点滅させる。
【００５８】
このとき、同時に、コントローラ６２は、使用者が洗浄スイッチ６３（６３ｂ）をＯＮ操作したときに実行される図５４に示す便器洗浄動作を禁止する。具体的には、上端フロートスイッチ６４ａ及び下端フロートスイッチ６４ｂの機能を停止し、これらのフロートスイッチの出力値に基づく洗浄動作を不能とする。
【００５９】
使用者は、この異常報知装置６５により、異常状態を認識した後、貯水タンク２０の破損が大の場合には、直ちに、便器の使用を止めることになる。しかしながら、貯水タンク２０の損傷が軽度の場合や、フロートスイッチ６４ａ，６４ｂの故障の場合には、便器洗浄自体は可能であるため、本実施形態においては、図４に示す正常時の洗浄動作と異なる異常時洗浄モードを実行することにより、異常時でも、便器洗浄できるようにしている。以下、この異常時洗浄モード（第１異常時洗浄モード及び第２異常時洗浄モード）を説明する。
【００６０】
次に、図６及び図７により、本実施形態によるフロートスイッチ及び／又は貯水タンクの異常時に実行する異常時洗浄モードについて説明する。図６は本実施形態によるフロートスイッチ及び／又は貯水タンクの異常時に実行する第１異常時洗浄モードにおける洗浄動作を示すタイムチャートであり、図７は本実施形態によるフロートスイッチ及び／又は貯水タンクの異常時に実行する第２異常時洗浄モードにおける洗浄動作を示すタイムチャートである。
【００６１】
先ず、図６により、第１異常時洗浄モードを説明する。この第１異常時洗浄モードにおいては、先ず、使用者が異常を認識した後、既設のスイッチを通常の操作とは異なる所定の特殊操作を行い、異常時洗浄モードに切り替える。この特殊操作は、メーカの作業員が行っても良いし、使用者がマニュアル等に基づいて行ってもよい。
【００６２】
次に、使用者が洗浄スイッチ６３（６３ｂ）をＯＮ操作すると、図６に示す第１異常時洗浄モードとなり、第１異常時洗浄モードが実行される。ここでは、図５に示した正常時の洗浄動作と異なる部分のみ説明する。
先ず、図６示されているように、ジェット洗浄は、前リム洗浄の一部が終了（時刻ｔ５）したとき開始され、その後、タイマー制御により、４秒間継続して行われるようになっている。正常時は、下端フロートスイッチ６４ｂがＯＮ（水なし）となったときジェット洗浄を終了していたが、この第１異常時洗浄モードでは、下端フロートスイッチ６４ｂの機能を停止しているので、このようなタイマー制御により、ジェット洗浄を可能としている。
【００６３】
次に、タンク給水は、後リム洗浄終了間際である時刻ｔ１３において開始され、その後、タイマー制御により、４０秒間継続して行われるようになっている。正常時は、上端フロートスイッチ６４ａがＯＮ（水あり）となったときタンク給水を終了していたが、この第１異常時洗浄モードでは、上端フロートスイッチ６４ａの機能を停止しているので、このようなタイマー制御により、タンク給水を可能としている。
【００６４】
このように本実施形態においては、第１位常時モードを実行することにより、貯水タンクからの洗浄水の漏洩が小さい場合やフロートスイッチが異常な場合においても、便器洗浄を行うことができる。
【００６５】
次に、図７により、第２異常時洗浄モードを説明する。この第２異常時洗浄モードにおいては、上述した既設のスイッチの所定の特殊操作を行っても良いし、この特殊操作を行わなくても良い。
【００６６】
次に、使用者が洗浄スイッチ６３（６３ｂ）をＯＮ操作すると、図７に示す第２異常時洗浄モードとなり、第２異常時洗浄モードが実行される。ここでも、図５に示した正常時の洗浄動作と異なる部分のみ説明する。
先ず、図７に示すように、使用者が、待機状態（時刻ｔ０〜ｔ１）において、洗浄スイッチ６３（６３ｂ）をＯＮ操作する（時刻ｔ１）と、給水路切替弁３６は、中立位置からタンク側給水路４０の全開状態（タンク側１００％）の位置に切り替えられ、時刻ｔ２から時刻ｔ３まで、タイマー制御により、４０秒間、タンク給水が行われる。これは、後述するように、前回の便器使用時の便器洗浄終了時にタンク給水を行わず貯水タンク２０を空の状態にしておいたことが前提となっている。正常時は、上端フロートスイッチ６４ａがＯＮ（水あり）となったときタンク給水を終了していたが、この第２異常時洗浄モードでは、上端フロートスイッチ６４ａの機能を停止しているので、このようなタイマー制御により、タンク給水を可能としている。
【００６７】
次に、ジェット洗浄は、第１異常時洗浄モードと同じであり、前リム洗浄の一部が終了（時刻ｔ５）したとき開始され、その後、タイマー制御により、４秒間継続して行われるようになっている。正常時は、下端フロートスイッチ６４ｂがＯＮ（水なし）となったときジェット洗浄を終了していたが、この第１異常時洗浄モードでは、下端フロートスイッチ６４ｂの機能を停止しているので、このようなタイマー制御により、ジェット洗浄を可能としている。
【００６８】
さらに、第２異常時洗浄モードでは、後リム洗浄が終了した時刻ｔ１３以降において、図５に示す正常時の洗浄動作では行っていた、タンク給水を禁止する（規制する）ようにしている。これにより、貯水タンク２０が軽度の損傷時等において、漏水することを確実に防止するようにしている。
【００６９】
このように本実施形態においては、第２位常時モードを実行することにより、貯水タンクからの洗浄水の漏洩が小さい場合やフロートスイッチが異常な場合においても、便器洗浄を行うことができる。
【図面の簡単な説明】
【００７０】
【図１】本発明の実施形態による水洗大便器の側面図である。
【図２】図１に示す水洗大便器の平面図である。
【図３】本発明の実施形態による水洗大便器を示す全体構成図である。
【図４】本発明の実施形態による水洗大便器の洗浄動作を示すタイムチャートである。
【図５】本発明の実施形態による水洗大便器の異常判定を行う際のフロートスイッチの状態を示す説明図である。
【図６】本発明の実施形態によるフロートスイッチ及び／又は貯水タンクの異常時に実行する第１異常時洗浄モードにおける洗浄動作を示すタイムチャートである。
【図７】本発明の実施形態によるフロートスイッチ及び／又は貯水タンクの異常時に実行する第２異常時洗浄モードにおける洗浄動作を示すタイムチャートである。
【符号の説明】
【００７１】
１  水洗大便器
２  便器本体
１０  機能部
１２  ボウル部
１４  排水トラップ管路
１６  ジェット吐水口
１８  リム吐水口
２０，８０  貯水タンク
２２  加圧ポンプ
２４  給水路
３２  定流量弁
３４  電磁開閉弁
３６  給水路切替弁
３８  リム側給水路
４０  タンク側給水路
４３，４４  ボール式逆止弁
４５  ポンプ側給水路
４６  ジェット側給水路
６２  コントローラ
６３  洗浄スイッチ
６４ａ  上端フロートスイッチ
６４ｂ  下端フロートスイッチ
６５  異常報知装置
７０  オーバーフロー流路
【図１】
0005131633.tif 000002
【図２】
0005131633.tif 000003
【図３】
0005131633.tif 000004
【図４】
0005131633.tif 000005
【図５】
0005131633.tif 000006
【図６】
0005131633.tif 000007
【図７】
0005131633.tif 000008